Podtech/llm-jp-corpus-v4-ja_patent huggingface dataset:
(57)【要約】【課題】  本発明の課題は、基板の取付ネジを仮締めだけで本締めを忘れる等のヒューマンエラーを未然に防ぎ、ネジのゆるみ、脱落を防止するクリップを提供することにある。【解決手段】  本発明は、基板に係止される基板係止部２１と、前記基板係止部２１に一体に設けられ、前記基板を取付ける取付ネジのネジ頭の一部が挿入して係止されるネジ頭係止穴２３を有し、前記取付ネジをネジ軸方向に押圧する押圧部２２とを具備することを特徴とするものである。【選択図】    図２
2010025145.tif 000002
【特許請求の範囲】
【請求項１】
基板に係止される基板係止部と、
前記基板係止部に一体に設けられ、前記基板を取付ける取付ネジのネジ頭の一部が挿入して係止されるネジ頭係止穴を有し、前記取付ネジをネジ軸方向に押圧する押圧部と
を具備することを特徴とするクリップ。
【発明の詳細な説明】
【技術分野】
【０００１】
本発明は、例えば車両に搭載され振動を伴う環境で使用される通信機器のプリント基板等の基板を取付ける取付ネジのゆるみ、脱落を防止するクリップに関するものである。
【背景技術】
【０００２】
従来、ネジの回り止めは、古くから多種多様な工夫がされ、種々の分野で使用されている。
これらは、ネジ、ナット等の主に部品自体に特殊な細工がされているが、一般の小ネジを使用し、ゆるみ、脱落を防止できるものはなかった。
【０００３】
特許文献１は、基板をシャーシにネジ止めする一例であるが、ネジのゆるみ、脱落を防止することについては記載されていない。
【特許文献１】特開２００５−２４３６７６号公報
【発明の開示】
【発明が解決しようとする課題】
【０００４】
本発明は上記の事情に鑑みてなされたもので、基板の取付ネジを仮締めだけで本締めを忘れる等のヒューマンエラーを未然に防ぎ、ネジのゆるみ、脱落を防止するクリップを提供することを目的とする。
【課題を解決するための手段】
【０００５】
上記目的を達成するために本発明のクリップは、基板に係止される基板係止部と、前記基板係止部に一体に設けられ、前記基板を取付ける取付ネジのネジ頭の一部が挿入して係止されるネジ頭係止穴を有し、前記取付ネジをネジ軸方向に押圧する押圧部とを具備することを特徴とするものである。
【発明の効果】
【０００６】
本発明のクリップは、ネジの締付で仮締め状態では、クリップの押圧が高くなり取付けが困難になり、本締めを喚起しヒューマンエラーの防止になる。また、基板をネジで取付ける構造は変更しないため、既設計のものにも容易に取付けが可能である。さらに、強制的に力をネジ軸方向に加えるため、振動等によるネジのゆるみ、脱落の防止になる。また、メンテナンス等のネジの増し締め作業の際に、クリップを取外すことなく、ネジ頭係止穴に挿入されたネジ頭に容易に作業が出来る。尚、クリップのネジ頭係止穴の形状を変えることで、ボルト等にも応用可能である。
【発明を実施するための最良の形態】
【０００７】
以下図面を参照して本発明の実施の形態を詳細に説明する。
図１（ａ），（ｂ），（ｃ）は本発明の実施形態に係るクリップの使用例を示す側面図、上面図、正面図である。図１（ａ），（ｂ），（ｃ）において、１１は例えば車両に搭載され振動を伴う環境で使用される通信機器等のシャーシ、１２は例えば板厚１．６ｍｍのプリント基板、１３はボス、１４は例えばネジ頭の直径φが５．５ｍｍの小ネジ、１５は例えばステンレス等の金属、樹脂等よりなる例えば板厚０．２ｍｍのクリップである。
【０００８】
図１（ａ），（ｂ），（ｃ）に示すように、シャーシ１１のボス１３には例えば厚さ１．６ｍｍのプリント基板１２が小ネジ１４により取付られる。小ネジ１４はプリント基板１２の正面端辺及び側面端辺からそれぞれ５ｍｍの位置に取付られる。前記プリント基板１２の端部にはクリップ１５の基板係止部が係止して取付けられ、前記クリップ１５の押圧部に設けられたネジ頭係止穴は前記小ネジ１４のネジ頭の一部を挿入して係止される。この場合、前記クリップ１５の押圧部は前記小ネジ１４のネジ頭をネジ軸方向に押圧するようにする。
【０００９】
図２（ａ），（ｂ），（ｃ），（ｄ）は本発明の実施形態に係るクリップを示す側面図、上面図、正面図、拡大斜視図である。図２（ａ），（ｂ），（ｃ），（ｄ）において、２１はクリップ１５の基板係止部、２２はクリップ１５の押圧部、２３はクリップ１５のネジ頭係止穴である。
【００１０】
図２（ａ），（ｂ），（ｃ），（ｄ）に示すように、前記基板係止部２１はプリント基板１２の端部が挿入係止されるように断面コ字状に形成され、下面部２１１は例えば幅８ｍｍ、長さ２ｍｍに形成され、側面部２１２は例えば幅８ｍｍ、高さ２．４ｍｍに形成され、上面部２１３は例えば幅８ｍｍ、長さ１ｍｍに形成される。前記上面部２１３の端辺には押圧部２２が一体に連設されると共に、前記押圧部２２は開放端部が斜め上方になるように傾斜して設けられ、前記押圧部２２の開放端部は図２（ｃ）の正面図において、下面部２１１の下面から５ｍｍの高さに形成される。前記押圧部２２には小ネジ１４のネジ頭の一部が挿入して係止される例えば直径φが５ｍｍの円形よりなるネジ頭係止穴２３が設けられる。前記押圧部２２は図２（ｂ）の上面図において、例えば幅８ｍｍ、長さ８．５ｍｍに形成され、前記ネジ頭係止穴２３は図２（ｂ）の上面図において、例えば基板係止部２１の側壁外面から４．８ｍｍの位置に設けられる。
【００１１】
以上のように本発明の実施形態によれば、通信機器のプリント基板の取付ネジに対して、プリント基板の端部と取付ネジの頭部の形状を利用して、クリップを容易に取付け、取外しができると共に、容易に取付ネジのゆるみ、脱落を防止することができる。また、クリップの形状を工夫して、押し圧を高めると共に、加工の簡素化ができるので、コストを安価にできる。
【００１２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００１３】
【図１】（ａ），（ｂ），（ｃ）は本発明の実施形態に係るクリップの使用例を示す側面図、上面図、正面図である。
【図２】（ａ），（ｂ），（ｃ），（ｄ）は本発明の実施形態に係るクリップを示す側面図、上面図、正面図、拡大斜視図である。
【符号の説明】
【００１４】
１１…シャーシ、１２…プリント基板、１３…ボス、１４…小ネジ、１５…クリップ、２１…基板係止部、２２…は押圧部、２３…ネジ頭係止穴。
【図１】
2010025145.tif 000003
【図２】
2010025145.tif 000004
(57)【要約】      （修正有）【課題】長尺の回転軸の外周全長にわたり数枚の羽根を放射状に取付けた風車において羽根の裏側になるべく風を受けないようにするため、この羽根の受風面積を少なくする。【解決手段】風車の各羽根４を固定部５と可動部６に分割して、その間を蝶番７又は、バネでつないで、その可動部６の先端を風車の回転軸３と偏心して自由に回転する羽根先端押え込み回転輪１１の円筒壁１２内周に常に接触させておき、風により風車が回転して羽根４が、その背面に風をうける位置に来たとき、その羽根可動部６の先端が円筒壁１２の内周により押さえ込まれて、折りたたまれる形状となることにより羽根４背面の受風面積が縮小され、背面からの風による逆回転力を減少させるようにした発電用風車の構造とする。【選択図】図２
2010025095.tif 000002
【特許請求の範囲】
【請求項１】
長尺の回転軸３の外周全長にわたり数枚の羽根４を放射状に取付けた風力発電装置の構造に於いて、風車の各羽根４を固定部５と可動部６に分割して、その間を蝶番７又は、バネでつないで、その可動部６の先端を風車の回転軸３と偏心して自由に回転する羽根先端押え込み回転輪１１の円筒壁１２内周に常に接触させておき、風により風車が回転して羽根４が、その背面に風をうける位置に来たとき、その羽根可動部６の先端が円筒壁１２の内周により押さえ込まれて、折りたたまれる形状となることにより羽根４背面の受風面積が縮小され、背面からの風による逆回転力を減少させるようにした発電用風車の構造。
【発明の詳細な説明】
【技術分野】
【０００１】  本発明は風の力を利用して発電する風力発電装置に関するものである。
【発明の開示】
【発明が解決しようとする課題】
【０００２】  長尺の回転軸の外周全長にわたり数枚の羽根を放射状に取付けた風車は片側の羽根で風を受けて回転するが、反対側の羽根はなるべく風を受けないよう中凸形状にする程度であり、その差の風力により回転するものであって発電の効率は低いものである。【０００３】  本発明は反対側の羽根になるべく風を受けないようにするため、この羽根の受風面積を小さくするものである。
【課題を解決するための手段】
【０００４】  本発明は風車の各羽根４を固定部５と可動部６に分割して、その間を蝶番７又は、バネでつないで、その可動部６の先端を風車の回転軸３と偏心して自由に回転する羽根先端押え込み回転輪１１の円筒壁１２内周に常に接触させておき、風により風車が回転して羽根４が、その背面に風をうける位置に来たとき、その羽根可動部６の先端が円筒壁１２の内周により押さえ込まれて、折りたたまれる形状となることにより羽根４背面の受風面積が縮小され、背面からの風による逆回転力を減少させるようにした発電用風車である。
【発明の効果】
【０００５】  片側の中凹形状の羽根で風をうけ、反対側の羽根の背面で反対方向の風をうける場合は羽根の正面側の風力を１とする場合、中凸形状の反対側の風力は約１／２と考えられ、差引き１／２の風で風車が回転するようになる。本発明の場合は反対側の羽根は折り畳まれて、その受風面積は１／２に低減され、又その中凸形状の傾斜が急斜面になるため反対側の風力は１／２×１／３＝１／６となり、有効な風力は５／６残ることになる。従って従来の風車に比し約１．５倍の風力を利用することが可能となり、発電比率を上昇することが可能となる。
【発明の実施をするための最良の形態】
【０００６】  長尺の回転軸３の外周全長にわたり数枚の羽根４を放射状に配置する風車に於いて、風車の各羽根４を固定部５と可動部６に分割して、その間を蝶番７又は、バネでつないで、固定部５を回転軸３に取付けた上下のフランジ部２で固定し、又可動部６の先端を回転軸３に対して偏心位置に設けた回転輪軸受１３に支えられて自由に回転する羽根先端押え込み回転輪１１の円筒壁１２の内周にバネ８の力により常に接触させておき、風により風車が回転して、その羽根４の正面が風を充分受ける図２のＡ点の位置に来たときは、可動部６の先端は円筒壁１２に接して最大の面積で風を受ける。又羽根４の背面に風を受けるＢ点の位置に来たときは可動部６の先端は円筒壁１２に押さえ込まれて深く折り込まれる形となり、風を受ける面積も約１／２に低減させられる。この押さえ込まれる動作のときは羽根先端押え込み回転輪１１の円筒壁１２は自由に回転できるようになっているため、羽根４の先端と円筒壁１２の内周との間にはほとんど相対的な運動は生じない。更にその内周面にナイロン樹脂のライニングをほどこすことにより、その間の摩擦抵抗もほとんど無くなる。特に風雨のときは有効である。又、羽根先端押え込み回転輪１１は密閉された回転輪軸受１３で支えられているため、雨にさらされた状態に於いても長年間耐久性が保持され、支障なく運転を続けることが可能である。
【図面の簡単な説明】
【０００７】
【図１】本発明の実施形態の一例を示す縦断面図
【図２】図１のＸ−Ｘ断面図
【符号の説明】
【０００８】  １・・・風車の架台                    ２・・・風車のフランジ部
３・・・風車の回転軸                  ４・・・羽根
５・・・羽根の固定部                  ６・・・羽根の可動部
７・・・羽根の蝶番                    ８・・・羽根のバネ
９・・・風車回転軸軸受              １０・・・回転軸連結接手
１１・・・羽根先端押え込み回転輪      １２・・・回転輪の円筒壁
１３・・・回転輪軸受                  １４・・・発電機
【図１】
2010025095.tif 000003
【図２】
2010025095.tif 000004
(57)【要約】【課題】本発明は、従来、エネルギー資源を有効利用する為の装置として、特に内燃機関に於ける燃料消費率を改善する装置があるが、それのみの効果しかなかった。  本発明は、燃焼効率を改善することのみだけでなく、車両に関していえば走行フィーリングをも向上させるべく考案したものである。【解決手段】上記目的を達成するために、本発明は、複数の磁石（フェライト、アルニコ、ネオジムなどの永久磁石、もしくは電磁石）を３次元的に磁力線方向を組み合わせ１組として複数組配置し、電磁波のチューニングをとる事により可能にするものである。【選択図】なし【特許請求の範囲】
【請求項１】
複数のマグネットを組み合わせ、空間の電磁波、暗黒エネルギーを有効利用する装置。
【発明の詳細な説明】
【技術分野】
【０００１】  本発明は、空間エネルギーを有効かつ簡単に利用する為のものである。
【背景技術】
【０００２】  従来、エネルギー資源を有効利用する為の装置として、特に内燃機関に於ける燃料消費率を改善する装置があるが、それのみの効果しかなかった。
【公開番号】
特許３４９６７１８  特開２００６−３４８９２１
【発明の開示】
【発明が解決しようとする課題】
【０００３】  本発明は、燃焼効率を改善することのみだけでなく、車両に関していえば走行フィーリングをも向上させるべく考案したものである。
【課題を解決するための手段】
【０００４】  上記目的を達成するために、本発明は、複数の磁石（フェライト、アルニコ、ネオジムなどの永久磁石、もしくは電磁石）を３次元的に磁力線方向を組み合わせ１組として複数組配置し、電磁波のチューニングをとる事により可能にする。
【発明の効果】
【０００５】  以上の様な、簡単な仕組みではあるが、本発明にあっては次に挙げる効果が得られる。【０００６】  コーナリング性能、ブレーキング性能などの運動性能の向上。  風きり音の低下。従って、燃費の向上も確認できる。
【発明を実施するための最良の形態】
【０００７】  次に、本発明を実施例に基づいて説明するが、本発明がこれによって限定されるものではない。
【実施例】
【０００８】  ［０００４］で説明した本発明品を、車両であるならば車体の四隅に配置する事により基本的には効果を確認できるが、微調整により更に効果を上げる事が可能である。
【産業上の利用可能性】  本発明は内燃機関のみに留まらず、ボイラーなどに於いても、効果が確認されている。
(57)【要約】【課題】従来のエマルジョン燃料を用いたディーゼルエンジンでは燃料制御系等でエマルジョン燃料の不安定さを解消しようとしてきたためにエンジン内においての改良が必要であった【解決手段】本発明の方法では、エアクリーナー部分にオゾン発生装置を設置することにより、オゾンの化学的特性でエマルジョン燃料の燃焼時に不安定さを解消させることができる。またエンジンそのものの大幅な改良を必要としないために従来のディーゼルエンジンにも簡単に使用できる。【選択図】図1
2010025048.tif 000002
【特許請求の範囲】
【請求項１】
エマルジョン燃料を用いたディーゼルエンジンにおいてシリンダ内で圧縮する空気にオゾンを混入することにより、エマルジョン燃料の燃焼時に着火性を改善し、安定した燃焼を得る燃焼方法。
【発明の詳細な説明】
【技術分野】
【０００１】
本発明はエマルジョン燃料を用いたディーゼルエンジンの着火燃焼方法に関するものである。
【背景技術】
【０００２】
従来エマルジョン燃料を用いたディーゼルエンジンにおいて、エマルジョン燃料自体の化学的特性が不安定な為、特許文献1のように様々な方法でエマルジョン燃料自体の改善でエマルジョン燃料を用いたディーゼルエンジンを安定化させ、燃焼の安定を図るような方法があった。
【特許文献１】特許出願２００２−６８６６６６
【発明の開示】
【発明が解決しようとする課題】
【０００３】
しかしながら以上の技術によればエマルジョン燃料自体を安定化させるためにエマルジョン燃料の噴射の制御装置、水混合の割合を変化させる装置等をディーゼルエンジン内に設けなくてはいけなかった為にエンジン燃料系での大幅な改良等が必要であった。
【課題を解決するための手段】
【０００４】
以上の問題を解決する為に本発明は、エマルジョン燃料自体の安定化ではなく、エマルジョン燃料を燃焼させる時に、オゾンを吸入させてオゾンの化学的活性を用いて燃焼の効率を上げエマルジョン燃料の不安定さを解消しようとする、着火燃焼方法である。
【発明の効果】
【０００５】
この発明では圧縮空気を取り込むためのエアクリーナー部分にオゾン発生装置を設置し、ディーゼルエンジンのシリンダ内にオゾンが混入することによって、オゾンの助燃性や化学反応の速さ等の化学的特性を利用して、エマルジョン燃料の不安定さを、燃焼によって解消しようとする燃焼方法である。
またこの発明の方法ではエアクリーナー部分にオゾン発生装置を取り付けるだけでいいので、エンジンそのものの大幅な改良などを必要とせず、また既存のエンジンでも簡単に利用できる。
【発明を実施するための最良の形態】
【０００６】
この発明の実施形態を図1に示す。
図1に示すようにエアクリーナー部分にオゾン発生装置を取り付ける。エンジンが作動中はエアクリーナーに取り付けられたオゾン発生装置からオゾンがシリンダ内に吸入され、圧縮空気にオゾンが混入、オゾンの化学的特性による燃焼で燃焼の効率を上げ、エマルジョン燃料を燃焼させるときの不安定さを解消する。
【図面の簡単な説明】
【０００７】
【図１】本発明を用いたディーゼルエンジンの使用状況を示す図である。
【図２】従来技術を用いたディーゼルエンジンの使用状況を示す図である。
【符号の説明】
【０００８】
１  ディーゼルエンジン
２  エアクリーナー
３  燃料貯蔵タンク
【図１】
2010025048.tif 000003
【図２】
2010025048.tif 000004
(57)【要約】【課題】一体となったおろし器とスライサーを立てて、自在に斜めや上下に手を動かして擦りおろしと薄切りが連続して調理できる折りたたみ式おろし器とスライサーを提供する。【解決手段】おろし器（１）とスライサーボード（２）及びガード板（３）の一端に耳（４）を設け、それぞれの耳（４）にピン（５）を通して連結し、おろし器（１）とスライサーボード（２）の角度を固定するストッパー（６）を設ける。スライサーボード（２）の刃（７）に回転盤（８）を設ける。おろし器（１）とスライサーボード（２）の下で野菜を受ける容器（９）を設ける。以上の構成よりなる折りたたみ式おろし器とスライサーを特徴とする。【選択図】図１
2010253210.tif 000002
【特許請求の範囲】
【請求項１】
（イ）おろし器（１）や野菜等を切るスライサーボード（２）の一端にピン（５）が通る耳（４）を設ける。
（ロ）スライサーボード（２）の刃（７）に回転盤（８）を設ける。
（ハ）ガード板（３）の一端にピン（５）が通る耳（４）を設ける。
（ニ）おろし器（１）とスライサーボード（２）とガード板の耳（４）にピン（５）を設ける。
（ホ）ピン（５）を通して一体化したおろし器（１）とスライサーボード（２）の開閉を固定するストッパー（９）を設ける。
（ヘ）容器（９）の淵に溝（１１）を設ける。
以上の構成よりなる、折りたたみ式おろし器とスライサー。
【発明の詳細な説明】
【技術分野】
【０００１】この発明は、おろし器や野菜などを切るスライサーボードなどの一端に耳を設け、互いを連結して支えながら立てられるようにした、折りたたみ式おろし器とスライサーに関するものである。
【背景技術】
【０００２】  従来、おろし器やスライサーボードは別々で個別になっていた。
野菜などをスライスする時は手を前後に動かして使用した。
【発明の開示】
【発明が解決しようとする課題】
【０００３】  これは、次のような欠点があった。
おろし器やスライサーボードを使用するには、それらの器具を持って使いやすい角度にして使用するか、容器の上で押えながら野菜などを前後に動かして使用するので、持って容器の上で使用すると不安定なので手に力がはいり疲れた。また容器の上に乗せて使用する場合でも体の正面で使用すると野菜などを押えたり持ったりする手の甲を上に向けて作業すると窮屈で手が疲れた。さらに野菜などを擦ったり切ったりすることが一つの器具で連続してできなかった。
【課題を解決するための手段】
【０００４】  おろし器（１）とスライサーボード（２）及びガード板（３）の一端に耳（４）を設け、それぞれの耳（４）にピン（５）を通して連結し、おろし器（１）とスライサーボード（２）の角度を固定するストッパー（６）を設ける。
スライサーボード（２）の刃（７）に回転盤（８）を設ける。
おろし器（１）とスライサーボード（２）の下で野菜をうける容器（９）を設ける。
本発明は、以上の構成よりなる折りたたみ式おろし器とスライサーである。
【発明の効果】
【０００５】おろし器とスライサーはピンにより連結されて一体となっているので、容器の上で使いやすい角度に開いて立てれば、前後以外にも刃の付いた回転盤を作業する角度に合わせれば斜めや上下にも擦りおろしたり切ったりできるので、手も自然に動かせて疲れが少なく便利で楽である。
【発明を実施するための最良の形態】
【０００６】  以下、本発明を実施するための最良の形態について説明する。
おろし器（１）とスライサーボード（２）及びガード板（３）の一端に耳（４）を設け、それぞれの耳（４）にピン（５）を通して連結し、おろし器（１）とスライサーボード（２）の角度を固定できるストッパー（６）を設ける。スライサーボード（２）の刃（７）に回転盤（８）を設ける。おろし器（１）とスライサーボード（２）の下で野菜をうける容器（９）を設け、さらに容器（９）の淵に溝（１１）を設ける。一体となったおろし器（１）やスライサーボード（２）及びガード板（３）に、ピン（５）を取り外して使用頻度に合わせておろし器（１）どうしや、切れ方の違うスライサーボード（２）どうしに組み替えできるようにする。野菜をうける容器（９）の中に、それぞれに調理された野菜を受ける小容器（１０）を設ける。
本発明は、以上のような構造でこれを使用するときは、
連結して一体となったおろし器とスライサーボードを開いて使いやすい角度を容器の溝にあわせて立てたらストッパーも固定し、ガード板に手を添えて器具を押えながら野菜などを擦るなり回転盤を回して刃の角度をきめて斜め切りや縦切りで野菜などをカットする。
また、おろし器やスライサーボードの形や容器は四角形や長方形だけでなく半円形でもよく、サイズも大中小なりと用意すれば使用者の要求にこたえやすい。一人や小人数の料理を用意するときなどは小型の四角形や円形の容器を使用すれば、連続してニンニクやショウガを個別された小容器に擦りおろしたり、ネギや大根を切ったり擦りおろしたあとは、折りたたみ式おろし器とスライサーを取りはずして食器として食卓にだすなり、蓋をして保存すればかさばらずお手軽で便利である。
使用後は折りたたんで容器に納めればよいので収納しやすく便利である。
【図面の簡単な説明】
【０００７】
【図１】  本発明の斜視図である。
【図２】  本発明の斜視図である。
【図３】  本発明の正面図である。
【図４】  本発明の正面図である。
【符号の説明】
【０００８】１  おろし器  ２  スライサーボード  ３  ガード板  ４  耳  ５  ピン  ６  ストッパー  ７  刃  ８  回転盤  ９  容器  １０  小容器  １１  溝
【図１】
2010253210.tif 000003
【図２】
2010253210.tif 000004
【図３】
2010253210.tif 000005
【図４】
2010253210.tif 000006
(57)【要約】【課題】安心して包丁で野菜を切ることができる、キャップ受け（５）筒に刃当たりを設けた刃当たり付き指ガードパイプを提供する。【解決手段】筒（１）の一端に刃当たり（２）、（３）を設け、筒（１）の下部の内側に切り込み（８）とキャップ受け（５）付き絞りネジ（４）を設け、キャップ受けに取り付けられるキャップ（６）を設けた刃当たり付き指ガードパイプを特徴とする。【選択図】図１
2010253209.tif 000002
【特許請求の範囲】
【請求項１】
筒（１）の一端に刃当たり（２）、（３）を設け、筒（１）の下部の内側に切り込み（８）とキャップ受け（５）付き絞りネジ（４）を設け、キャップ受けに取り付けられるキャップ（６）を設ける。
以上の構成よりなる、刃当たり付き指ガードパイプ。
【発明の詳細な説明】
【技術分野】
【０００１】  この発明は、刃当たりを設けた筒に指を通して包丁から指を守る、刃当たり付き指ガードパイプに関するものである。
【背景技術】
【０００２】従来、包丁を使用するときは指の関節に包丁の側面を当てるか、板の側面に当てて食材を切っていた。
【発明の開示】
【発明が解決しようとする課題】
【０００３】これは、次のような欠点があった。通常野菜などを切るときは、指の関節部分に包丁の側面をあてて野菜などを押えながら切るので、料理の初心者や不慣れな人などは神経を使い、千切りなど連続して切るのにスムーズに指を動かせず、手を切ったり切りそうになったりして料理に苦手意識を持った。指を保護しながらリングに板をあてて指一本を通すものや、親指以外の指が入るリングに板をあてたものもあるが、板の面と包丁の側面を常に一定の角度にして、ピタッと包丁の側面を板の面に合わせて切らないと、包丁の側面がずれて板の端に当たると、指を入れたリングがぶれて角度を修正しないといけないので連続してカットできない。また野菜などを押えながら指を動かしてカットするときも、指を動かすと板の面が動いて角度が一定しないので均一に切るには手間取る。さらにキャベツなどの葉を重ねて千切りするには、各指は葉を均一に押えながら板を浮かしつつ指をずらしていかないと、板の下端の小口面に葉が引っ掛かってしまうので、連続してスムーズにカットすることが難しく不便である。そばやうどんなどのように平たく伸びた生地などを丁寧にゆっくりと切っていく場合には、板のブレも小さいので使えるが、様々な食材に対応するには不便である。また、見栄えも仰々しくてコンパクト性がなく、いかにも素人であることが出すぎるうえに置場もかさばる。本発明は、以上のような欠点をなくすためになされたものである。
【課題を解決するための手段】
【０００４】筒（１）の一端に刃当たり（２）、（３）を設け、筒（１）の下部の内側に切り込み（８）とキャップ受け（５）付き絞りネジ（４）を設け、キャップ受けに取り付けられるキャップ（６）を設ける。本発明は、以上の構成よりなる刃当たり付き指ガードパイプである。
【発明の効果】
【０００５】主婦や調理のプロなどが野菜を切るときに、人差し指や中指の関節に包丁の側面をあてて指を後退させながら連続して切っているのは、指の関節を点として包丁の側面を当てているから包丁の操作も自由がきき、指を動かしながら連続してカットしていける。そこで本発明の刃当たり付き指ガードパイプも、指を入れる筒に突起物の刃当たりを設けることで刃当たりが点及び線となり、包丁の側面を指の関節と同じように当てることができるので連続して自然体でカットしていける。また筒は、指先を少し出した状態で指の第二関節を曲げたところまでに収まり、さらに筒と刃当たりの厚みで指先は刃当たりより前に出せないので指は包丁から保護されて安全である。さらに刃当たりは手の握りや切りかた及び食材などを考慮して、角度のあるものと垂直のものと二種類を筒の前後に設けてあるので使用する方の位置をきめたら、筒の下部にある絞りネジを回して筒と指の密着具合を調整する。さらに、キャップ受けにキャップを取り付けると指先にさらなる安心感を増す。またキャップの周りに滑り止め用にツブツブを設けているので材料を押えるのに滑らなくて便利である。子供や料理の初心者にも軽く手をにぎりながら指先を丸め、包丁の側面を関節に当ててカットすることを教えてから、指に装着して使用させると安心して使用できる。
【発明を実施するための最良の形態】
【０００６】  以下、本発明を実施するための最良の形態について説明する。
筒（１）の一端に刃当たり（２）、（３）を設け、筒（１）の下部の内側に切り込み（８）とキャップ受け（５）付き絞りネジ（４）を設け、キャップ受けに取り付けるキャップ（６）を設ける。筒（１）の外周りに滑り止め（７）を設ける。刃当たり（２）に角度を設ける。
本発明は、以上のような構造でこれを使用するときは、筒の中に指を通して使いやすい向きに、刃当たり部分を正面や左右に向けたら下部にある絞りネジで筒と指に緩みがないように密着具合を調整し、指先を覆うキャップを装着する。指先で食材を押えながら、刃当たりに包丁の側面を当てて連続して切っていけばいい。
【図面の簡単な説明】
【０００７】
【図１】  本発明の斜視図である。
【図２】  本発明の断面図である。
【図３】  本発明の断面図である。
【図４】  本発明の斜視図である。
【図５】  本発明の正面図である。
【符号の説明】
【０００８】１筒２刃当たり３刃当たり４絞りネジ５キャップ受け６キャップ７滑り止め８切り込み
【図１】
2010253209.tif 000003
【図２】
2010253209.tif 000004
【図３】
2010253209.tif 000005
【図４】
2010253209.tif 000006
【図５】
2010253209.tif 000007
(57)【要約】【課題】本発明は、縫い代と溝と縫い穴を備えた面ファスナーである。従来の面ファスナーは耳が部分的にしかなく、頑丈かつ見た目に美しく縫い留められない。本発明は、誰でも簡単に頑丈に美しく縫い留めることのできる縫製用面ファスナーを提供する。【解決手段】一回分の長さ、大きさ、形に成型した一対の面ファスナー（１）のループ側とフック側それぞれに、少なくとも全周囲（２）、または全周囲と系合素子（５）の間に縫い代（６）を設ける。当該縫い代（２）（６）にステッチを保護するための溝（３）を設ける。溝の中に針を通し易くするための縫い穴（４）を設ける。【選択図】図１
2010253211.tif 000002
【特許請求の範囲】
【請求項１】
一回の使用に適する形に成型され、全周囲に縫い代（２）を有する面ファスナー。
【請求項２】
系合素子（５）の間に縫い代（６）を有する請求項１記載の面ファスナー。
【請求項３】
縫い代（２）（６）に溝（３）を設けた請求項１または２に記載の面ファスナー。
【請求項４】
縫い代（２）（６）に縫い穴（４）を複数設けた、請求項１から３何れかに記載の面ファスナー。
【発明の詳細な説明】
【技術分野】
【０００１】    本発明は、使用者が面ファスナーを物品に縫い留め易くするために縫い代と溝と縫い穴を設けた、縫い代と溝と縫い穴付き縫製用面ファスナーに関するものである。
【背景技術】
【０００２】    従来の一般消費者向け縫製用面ファスナーは、幅２〜３ｃｍのテープ型か、幅広のシート型で販売され、使用者により必要な長さや大きさや形に切って使われる。【０００３】    面ファスナーの幅方向の両端には、数ミリ幅の係合素子が存在しない耳がある。この耳は係合素子が編みこまれている基布の延長である。当該耳は面ファスナーの耳であると同時に、使用者により縫い代として使われる。
【発明の概要】
【発明が解決しようとする課題】
【０００４】    従来の縫製用面ファスナーは、使用者により好みの長さや大きさや形に切って使われるため、耳の無い辺が必ずできてしまう。例えば２．５センチ幅のテープ型面ファスナーを長さ５センチに切って長方形の形として物品の開閉部へ縫い付ける場合、長さ５センチの辺には既製の耳が存在するが、使用者が切断した辺である２．５センチの辺には係合素子であるループもしくはフックが切り口の際まで存在する。【０００５】    このように使用者が切って使う従来の縫製用面ファスナーにおける第一の問題点は、耳のある辺と無い辺が混在するので見た目に美しくない。【０００６】    第二の問題点は、面ファスナーを物品へ縫い留める際、耳のある辺は耳を縫い代として頑丈に縫い留められるが、耳のない辺は係合素子であるループもしくはフックの上を縫わねばならない為、手縫いの場合は特に縫い留め強度が落ちてしまう。【０００７】    第三の問題点は、面ファスナーを繰り返し着脱しているうちに、縫い目を、フックが引っ掛けてしまい、縫い留めた糸を引っ張ってしまう。これを繰り返し行うと、せっかく縫い留めた面ファスナーが次第に緩み、機能が著しく低下すると同時に、縫い目が乱れ見た目の美しさも損なわれる。【０００８】    第四の問題点は、面ファスナーを物品へ縫い留める際、面ファスナーの素材が硬いため力を入れて運針せねばならず、老人、子供、手先の不自由な方にとって縫い留めは危険で困難な作業である。誤って針で指を刺す事故が起きやすい。
本発明はこれらの問題点を解決するためになされたものである。
【課題を解決するための手段】
【０００９】    あらかじめ一回分の長さ、大きさ、形に成型した一対の面ファスナー（１）のループ側とフック側それぞれに、少なくとも全周囲（２）、または全周囲と系合素子（５）の間に縫い代（６）を設ける。当該縫い代（２）（６）にステッチを保護するための溝（３）を設ける。溝の中に針を通し易くするための縫い穴（４）を設ける。
【発明の効果】
【００１０】    縫い留めるための縫い代を全周囲に設けることで、面ファスナーを製品に頑丈且つ見た目に美しく縫い留めることができる。【００１１】    縫い代上に縫い糸を沈めるための溝を設けることで、縫い留めステッチを保護し、面ファスナーを着脱する際にフックが縫い留めステッチを引っ張り緩め、縫い留め強度を低下させることを防ぐ。【００１２】    針を通しやすくする縫い穴を溝の中に設けることで、老人、子供、手先の不自由な方でも安全に、頑丈で見た目にも美しい縫い留めを行うことができる。【００１３】    縫い代、溝、縫い穴の配置を工夫すれば、面ファスナーに従来のように単なる留め具としてだけではなく、装飾効果も加えられる。
【図面の簡単な説明】
【００１４】
【図１】本発明の第一の実施形態を示す図の斜視図
【図２】本発明の第二の実施形態を示す図の正面図
【発明を実施するための形態】
【００１５】以下、本発明の実施形態を説明する。
（イ）  面ファスナーを一回分の長さ、大きさ、形に成型（１）する。
（ロ）  面ファスナーのループ側とフック側それぞれに、少なくとも全周囲（２）と、系合素子（５）の間（６）に縫い代（２）（６）を設ける。
（ハ）  当該縫い代（２）（６）に糸を沈める溝（３）を設ける。
（ニ）  溝（３）の中に針を通し易くするための縫い穴（４）を複数設ける。
本発明は以上の構成により成る。
【００１６】本発明をミシンにより縫い留める場合は、面ファスナー（１）と物品の生地を重ね合わせ、縫い糸が縫い代（２）（６）上に施した溝（３）の中に沈むよう、溝の中を溝（３）に沿って縫う。また、手縫いにより縫い留める場合は、面ファスナー（１）と物品の生地を重ね合わせ、面ファスナー（１）の全周囲に設けた縫い代（２）上の縫い穴（４）から外縁（７）へ向けてステッチを施すか、縫い穴（４）から隣の縫い穴（４）へステッチを施す。
【符号の説明】
【００１７】    （１）面ファスナー  （２）全周囲に設けた縫い代  （３）溝
（４）縫い穴  （５）係合素子  （６）係合素子の間に設けた縫い代
（７）外縁
【図１】
2010253211.tif 000003
【図２】
2010253211.tif 000004
(57)【要約】【課題】従来は束ねた髪の毛を人差し指と親指で適量に分けてレザーカットしていたが先端に付けた棒状によって髪の毛は適量に分けられ引っかかった髪の毛は上にあげられカットされなくて下ろしたときに人差し指と親指で持っている髪の毛が適量にカットされる。そういう事で様様なカットが可能になり多様な髪形が出来上がる。そしてカットの時間が従来のレザーカットに比べて短時間で済むようになる。それには輪に入れている人差し指の正確な動きと圧力によって効率的な働きが出来ることを提供する。【解決手段】１．  小指掛け２．  薬指入れの形状３．  人差し指が入る回転式の輪４．  先端の棒状５．  カミソリの刃が入る仕切りを設けたレザーカットを特徴とする【選択図】図１
2010253218.tif 000002
【特許請求の範囲】
【請求項１】
従来のレザーカットの柄に下図の様な先端に棒状を取り付け人差し指が入る回転式の輪を取り付けたＲＡＺＯＲ  ＵＰ＆ＤＯＷＮ。
2010253218.tif 000006
▲１▼人差し指が入る回転式の輪。
▲２▼棒状。
【発明の詳細な説明】
【技術分野】
【０００１】この発明はレザーカット本体の先端部分に上方に伸びた棒状を取り付けそして人差し指が入る回転式の輪を取り付けたＲＡＺＯＲ  ＵＰ＆ＤＯＷＮに関するものである。
【背景技術】
【０００２】従来は片方の手で束ねた髪の毛を持っていて片方はレザーカットの柄をもっていたのでカットするまでは両方の接触がなかったので画一的な髪形に出来上がってしまい時間もかかった。
【発明の開示】
【発明が解決しようとする課題】
【０００３】従来のものでは次のような欠点があった。大量に束ねた髪の毛を片方で持ってカットしていた故に髪を段カットするか累進的なカットになっていた。
その上に労働時間が長くなっていた。本発明は以上のような欠点をなくすためになされたものである。
【課題を解決するための手段】
【０００４】１．  小指掛け
２．  薬指入れの形状
３．  人差し指が入る回転式の輪
４．  先端の棒状
５．  カミソリの刃が入る仕切り
６．  本発明は以上の構成によるＲＡＺＯＲ  ＵＰ＆ＤＯＷＮである
【発明の効果】
【０００５】片方で握っている束の髪の毛はＲＡＺＯＲ  ＵＰ＆ＤＯＷＮを握っている人差し指による正確な位置と力をかけた上下運動で先端の棒状によって片方で握っている髪の毛は適量に引っかけられて分かれ上下運動によって上げられた髪の毛はカットされなくて同時に下方の運動によって適量にカットされるものである。
それによって労働時間が短縮されるし様様な髪型のスタイルが作成される。
【発明を実施するための最良の形態】
【０００６】以下、本発明を実施するための最良の形態について説明する。
ＲＡＺＯＲの柄の先端に適当な長さの棒状のものをつける。ＲＡＺＯＲの柄に人差し指の入る回転式の輪を付ける。
本発明は以上のような構造である。これを使用する時は棒状によって適当な量や長さのカットが自在に出来、多様な髪形が出来上がると同時に時間の短縮もなる。
2010253218.tif 000003
写真１でカットされた髪の毛が次の写真２で棒状に引っかけられた髪の毛は後方か横側に      分けられカットされないで写真１にまた戻っていく。
【図面の簡単な説明】
【０００７】
【図１】  本発明の側面図である。
2010253218.tif 000004
１．  人差し指が入る回転式の輪。
２．  適当な長さの棒状。
【符号の説明】
【０００８】
2010253218.tif 000005
１．  小指掛け
２．  薬指入れの形状
３．  人差し指が入る回転式の輪
４．  棒状
５．  カミソリの刃が入る仕切り
本発明は以上の構成よりなるＲＡＺＯＲ  ＵＰ＆ＤＯＷＮである。
【図１】
2010253218.tif 000007
【手続補正書】
【提出日】平成21年7月6日(2009.7.6)
【手続補正１】
【補正対象書類名】明細書
【補正対象項目名】０００６
【補正方法】変更
【補正の内容】
【０００６】  以下、本発明を実施するための最良の形態について説明する。
ＲＡＺＯＲの柄の先端に適当な長さの棒状のものをつける。ＲＡＺＯＲの柄に人差し指の入る回転式の輪を付ける。
本発明は以上のような構造である。これを使用する時は棒状によって適当な量や長さのカットが自在に出来、多様な髪形が出来上がると同時に時間の短縮もなる。
【手続補正２】
【補正対象書類名】明細書
【補正対象項目名】０００７
【補正方法】変更
【補正の内容】
【０００７】
【図１】本発明の側面図である。１．  人差し指が入る回転式の輪。２．  適当な長さの棒状。
【手続補正３】
【補正対象書類名】明細書
【補正対象項目名】０００８
【補正方法】変更
【補正の内容】
【０００８】１．  人差し指が入る回転式の輪
２．  棒状
３．  カミソリの刃が入る仕切り
本発明は以上の構成よりなるＲＡＺＯＲ  ＵＰ＆ＤＯＷＮである。
【手続補正４】
【補正対象書類名】特許請求の範囲
【補正対象項目名】全文
【補正方法】変更
【補正の内容】
【特許請求の範囲】
【請求項１】
剃刀の柄の先方には剃刀の刃が入る仕切りがあるがその先端に棒状を取り付け後方に人差し指が入る回転式の輪を取り付けたものである。
(57)【要約】【課題】例えばテニスコートやゴルフ場等で練習中に散乱したボールを、楽な作業姿勢で素早く回収することができ、練習者や施設管理者への負担を軽減し得るボール収集装置を提供する。【解決手段】収集するボール径より適度に大きな内径を持つボール吸込み用ダクト２と、前記ボール吸込み用ダクト２を通って搬入されたボールを滞留蓄積させる容量を持つボール収納容器４と、前記ボール吸込み用ダクト２内にボールを吸込み、ボール収納容器４まで搬送させるための空気の流れを生じさせる排気装置４とから構成したことを特徴とするボール収集装置である。【選択図】図１
2010253219.tif 000002
【特許請求の範囲】
【請求項１】
収集するボール径より適度に大きな内径を持つボール吸込み用ダクト２と、前記ボール吸込み用ダクト２を通って搬入されたボールを滞留蓄積させる容量を持つボール収納容器４と、前記ボール吸込み用ダクト２内にボールを吸込み、ボール収納容器４まで搬送させるための空気の流れを生じさせる排気装置５とから構成したことを特徴とするボール収集装置。
【発明の詳細な説明】
【技術分野】
【０００１】  本発明は、散乱した球技用ボールを、労力を費やすことなく効率よく収集する装置である。
【背景技術】
【０００２】  従来テニスなどの練習中に散乱したボールは、練習者が腰をかがめて拾い集めているが、結構手間がかかるものである。
【発明が解決しようとする課題】
【０００３】  本発明は、このように手間のかかるボール拾いの時間および労力負担の軽減を目的とするものである。
【課題を解決するための手段】
【０００４】  そして、本発明は上記目的を達成するため、管路内の空気の流れを利用してボールを搬送するとき管路途中に管路断面積が急激に広くなる空間があるとその部分でボールが滞留蓄積されるという現象に着目し、収集するボール径より適度に大きな内径を持つボール吸込み用ダクトと、前記ボール吸込み用ダクトを通って搬入されたボールを滞留蓄積させる容量を持つボール収納容器と、前記ボール吸込み用ダクト内にボールを吸込み、ボール収納容器まで搬送させるための空気の流れを生じさせる排気装置とから構成したことを特徴とするボール収集装置を提案する。
【発明を実施するための形態】
【０００５】  以下、本発明の実施の形態を図１に基づいて説明する。
【０００６】  図１において、２は収集するボール径より適度に大きな内径を持つボール吸込み用ダクトで、４は収集したボールを収納するためのボール収納容器で、前記ボール吸込み用ダクト２と管路断面積が急拡大する状態で結合する。尚ボール吸込み用ダクト２とボール収納容器４を含めて空気が流れる管路と考える。また５は管路内の空気を排気するための排気装置で、６は収集されたボールを取出すためのボール取出し部、７はボール収集機を自由に移動できるようにするための車輪である。
【０００７】  排気装置５を駆動してボール収集機内の空気を排気するとボール収納容器４を介して、ボール吸込み用ダクト２内に空気の流れが生じダクト入口１附近の空気と共にボールがダクト内に吸込まれ収納容器４まで搬送される。収納容器入口部３では管路が急拡大しているので空気の流れが失速しボールを搬送する力を減少させ、ボールは収納容器４の底部まで落下し底部に滞留蓄積し空気だけが排気装置４で収集機外に排気される。蓄積したボールはボール取出し部６から収集機外に取出す。
【図面の簡単な説明】
【０００８】
【図１】実施例に係るボール収集機の内部機構を示す概略説明図
【図２】実施例に係るボール収集機の使用状態を示す外観図
【符号の説明】
【０００９】１  ダクト入口
２  ボール吸込み用ダクト
３  ボール収納容器入口
４  ボール収納容器
５  排気装置
６  ボール取出し部
７  車輪
８  ボール
９  ボール運搬用カゴ
【図１】
2010253219.tif 000003
【図２】
2010253219.tif 000004
(57)【要約】【課題】  本発明は洗濯機での洗濯物が絡むことによる衣類の型崩れを防ぎ、また、絡みを解く面倒を省くことを特徴とする洗濯物分別ネットを提供する。【解決手段】  円筒形の網袋（１）の内部に網で三分割の区切り（２）を設け、円筒形の両端部の蓋（３）の部分に綴じ付け、円筒形の網袋（１）の表面部を三分割した中央部を両端までファスナー（４）を用いて開閉させ、洗濯物を三カ所に分別することを特徴とする洗濯物分別ネット。【選択図】図１
2010253214.tif 000002
【特許請求の範囲】
【請求項１】
円筒形の網袋（１）の内部に網で三分割の区切り（２）を設け、円筒形の両端部の蓋（３）の部分に綴じ付け、円筒形の網袋（１）の表面部を三分割した中央部を両端までファスナー（４）を用いて開閉させ、洗濯物を三カ所に分別することを特徴とする洗濯物分別ネット。
【請求項２】
両側に蓋（３）を設けた円筒形の網袋（１）の内部を網で三分割し、三分割した網袋（１）の各側面に開閉自在のファスナー（４）を設けたことを特徴とする洗濯物分別ネット。
【発明の詳細な説明】
【技術分野】
【０００１】  本発明は、洗濯機を使用するときに、洗濯物を分別して洗濯する洗濯物分別ネットに関するものである。
【背景技術】
【０００２】  従来、洗濯機を使用するときは、洗濯物を一つの洗濯ネットに入れるか、または、洗濯物を種類別に別ネットを用いていたが、一つのネットの中では洗濯物が絡む場合もあり、衣類の型崩れや洗濯物を解くこともあり、また、数枚の洗濯ネットも必要とした。
【発明の概要】
【発明が解決しようとする課題】
【０００３】  そのため、次のような問題点があった。
一つの洗濯ネットの中で洗濯物が絡み型崩れもあった。
また、洗濯物を解くのも面倒であった。
分別するために数枚の洗濯ネットを使用することも効率が悪かった。
本発明は以上の問題点を解決しようとするものである。
【課題を解決するための手段】
【０００４】  円筒形の網袋（１）の内部に網で三分割の区切り（２）を設ける。
円筒形の両端部の蓋（３）の部分に綴じ付け、円筒形の網袋の表面部を三分割した中央部を両端までファスナー（４）を用いて開閉させ、洗濯物を三カ所に分別する。
以上のように構成された洗濯物分別ネット。
【発明の効果】
【０００５】  本発明は洗濯機での洗濯物が絡むことによる衣類の型崩れを防ぐことができる。
また、絡みを解く面倒を省き、ネットの枚数を減らすことができる。
【図面の簡単な説明】
【０００６】
【図１】  本発明の斜視図である。
【図２】  本発明の分解斜視図である。
【発明を実施するための形態】
【０００７】  以下、本発明の実施の形態について説明する。
（イ）細かい網目からなる円筒形の網袋（１）の内部に三分割の区切り（２）を設け、円    筒形の網袋（１）の両端部の蓋（３）の部分に綴じ付ける。
（ロ）円筒形の網袋（１）の内部に設けた三分割の区切り（２）の表面部の中央部分にフ    ァスナー（４）を設ける。
以上のように構成された洗濯物分別ネットである。
本発明の使い方を説明する。
本発明は、洗濯物を種類別や大きさ等に分別し、ファスナー（４）の開閉で中に入れ洗濯機に入れる。
洗濯物は円筒形の網袋（１）の内部が三分割の区切り（２）を設けているために、円筒形の網袋（１）の中が狭いため洗濯物が動かずこの結果、洗濯物の絡みを防ぎ型崩れや解く面倒を軽減する。
【符号の説明】
【０００８】１  網袋
２  三分割の区切り
３  蓋
４  ファスナー
【図１】
2010253214.tif 000003
【図２】
2010253214.tif 000004
(57)【要約】【課題】病室、居室内に設置されている衝撃吸収マットは転落時の通報が出来ない為、転落者が放置状態になっていた。このため別のセンサーマットを衝撃吸収マットの下に敷くことでこの処置遅れを防ぐことが試みられている。しかしこれらは形状が大きい為取扱いが容易でなく価格面でも高価なものとなる。本発明を用いることで取扱い面でも容易になり、価格面でも安価なものとすることが出来る。【解決手段】衝撃吸収マットに圧力センサーを内蔵させ、その圧力センサーの出力信号をナースコール等の通報装置を介してアラームを発生させて知らせることが出来る。【選択図】図２
2010253212.tif 000002
【特許請求の範囲】
【請求項１】
病院、各種介護施設の室内に設置される衝撃吸収マットは転落時の衝撃を和らげる為の用途であり、その事象は看護・介護者が気付くまで処置が遅れることが多々ある。このため別のセンサーマットを衝撃吸収マットの下に敷くことでこの処置遅れを防ぐことが試みられている。しかしこれらは形状が大きい為取扱いが容易でなく価格面でも高価なものとなる。この別々の機能の物を一体化することにより、取扱い面でも容易になり尚且つ価格面でも安価なものとすることが出来る。
【発明の詳細な説明】
【技術分野】
【０００１】本発明はセンサー内蔵衝撃吸収マットに関する。
【背景技術】
【０００２】従来の衝撃吸収マットは単一機能であって、転落時の衝撃を緩和するだけのものであって、転落者の発見が遅れることがありその後の処置に支障をきたすことがあった。
本方式では、衝撃吸収マットに圧力センサーを内蔵することによりその接点信号をナースコールなどの通報装置を介して看護・介護者に転落を知らしめる発明。
【発明の開示】
【発明が解決しようとする課題】
【０００３】病室、居室内に設置されている衝撃吸収マットは転落時の通報が出来ない為、転落者が放置状態になっていた。【０００４】この放置状態を別のセンサーを併用することで機能を向上させることが出来るが取扱いが容易でないことと、費用面でも高価なものとなる。【０００５】本発明では衝撃吸収マットに圧力センサーを内蔵させ、その圧力センサーの出力信号をその場で本体に接続された発音装置を介してアラームを発生させて知らせる。また無線や有線などの通報装置を介して離れた場所にいる看護・介護者へ警告音などで知らせる事を可能にした。【０００６】本発明の実施形態を図１、図２、図３に基づいて説明する。【０００７】本発明による衝撃吸収マットに内蔵された圧力センサーの信号は図２のようになる。【０００８】衝撃吸収マットに転落するとその加重で内蔵された圧力センサーから信号を出力する。【０００９】出力信号をその場で本体に接続された発音装置を介してアラームを発生させて知らせる。【００１０】無線や有線などの通報装置を介して離れた場所にいる看護・介護者へ警告音などで知らせる。
【発明の効果】上述したように本発明は、転落時の衝撃を緩和するだけのものであった、衝撃吸収マットに圧力センサーを内蔵することによりその接点信号をナースコールなどの通報装置を介して看護・介護者に転落を知らしめることが可能になる。
【発明を実施するための最良の形態】
【００１１】以下、本発明の実施形態を図２、図３に基づいて説明する。【００１２】図２は、本発明の機器の標準的な配置を示している。【００１３】対象者がベッドから転落すると、衝撃吸収マットで衝撃を吸収すると同時にその加重で内蔵された圧力センサーから信号を出力する。【００１４】出力信号をその場で本体に接続された発音装置を介してアラームを発生させて知らせる。また、無線や有線などの通報装置を介して離れた場所にいる看護・介護者へ警告音などで知らせる。
【図面の簡単な説明】
【００１５】
【図１】従来の衝撃吸収マットとセンサー
【図２】本発明のセンサー内蔵衝撃吸収マット
【符号の説明】
【００１６】１  衝撃吸収マット
２  センサーマット
３  センサー内蔵衝撃吸収マット
【図１】
2010253212.tif 000003
【図２】
2010253212.tif 000004